(57)【要約】【課題】連続波を利用する超音波診断装置において比較的簡易な構成により不要信号成分を低減させる。【解決手段】補正信号生成部２２は、送信系から受信系への信号等の漏洩に伴う不要信号成分を低減させるための補正信号Ｖｃを生成する。そして、受信用振動子１２において得られた受信信号に対して、加算部２４により補正信号Ｖｃが加えられ、受信信号に含まれる不要信号成分が低減される。そのため、補正信号生成部２２は、受信信号に含まれる不要信号成分をキャンセルできるように、位相調整と振幅調整を行って補正信号Ｖｃを生成する。【選択図】図１
2010011992.tif 000002
【特許請求の範囲】
【請求項１】
連続波の送信信号を出力する送信信号処理部と、
送信信号に対応した超音波を生体に送波して生体からの反射波を受波することにより受信信号を得る送受波部と、
送信信号に対して位相調整処理と振幅調整処理を施して得られる補正信号を受信信号に加えることにより、受信信号に含まれる不要信号成分を低減させた補正受信信号を得る補正処理部と、
実質的に送信信号に等しい波形の参照信号を用いて補正受信信号に対して復調処理を施すことにより復調信号を得る受信信号処理部と、
復調信号から生体内情報を抽出する生体内情報抽出部と、
を有する、
ことを特徴とする超音波診断装置。
【請求項２】
請求項１に記載の超音波診断装置において、
前記送受波部は、送信信号に対応した超音波を生体に送波する送信用振動子と、生体からの反射波を受波することにより受信信号を得る受信用振動子と、を備え、
前記補正処理部は、送信用振動子から受信用振動子への超音波の音響的な漏洩成分が低減されるように送信信号の振幅を調整し且つ送信信号の位相を反転させて前記補正信号を生成する、
ことを特徴とする超音波診断装置。
【請求項３】
請求項１または２に記載の超音波診断装置において、
前記補正処理部は、送信信号から受信信号への電気的な漏洩成分が低減されるように送信信号の振幅を調整し且つ送信信号の位相を反転させて前記補正信号を生成する、
ことを特徴とする超音波診断装置。
【請求項４】
請求項１から３のいずれか１項に記載の超音波診断装置において、
前記補正処理部は、生体の体表からの反射波成分が低減されるように送信信号の振幅を調整し且つ送信信号の位相を反転させて前記補正信号を生成する、
ことを特徴とする超音波診断装置。
【発明の詳細な説明】
【技術分野】
【０００１】
本発明は、超音波診断装置に関し、特に、連続波を利用する超音波診断装置に関する。
【背景技術】
【０００２】
超音波診断装置の連続波を利用した技術として、連続波ドプラが知られている。連続波ドプラでは、例えば、数ＭＨｚの正弦波である送信波が生体内へ連続的に放射され、生体内からの反射波が連続的に受波される。反射波には、生体内における運動体（例えば血流など）によるドプラシフト情報が含まれる。そこで、そのドプラシフト情報を抽出して周波数解析することにより、運動体の速度情報を反映させたドプラ波形などを形成することができる。
【０００３】
連続波を利用した超音波診断装置においては、送信系から受信系への信号等の漏洩が無視できない。例えば、音響的あるいは電気的な影響により送信系から受信系へ信号等が漏洩すると、受信信号に比較的大きな不要信号成分が含まれてしまい、微弱なドプラ信号を抽出するうえで好ましくない。
【０００４】
そのため、受信信号に含まれる不要信号成分を低減することが望ましい。但し、その低減のために送受信系の回路規模や設計コストなどが増大することは好ましくない。
【０００５】
ちなみに、特許文献１には、連続波ドプラモードにおいて、ディレイラインを用いることなく小さな回路規模で受信信号の整相加算を行う旨の技術が記載されている。
【０００６】
【特許文献１】特開２００７−１４４５６号公報
【発明の開示】
【発明が解決しようとする課題】
【０００７】
本発明は、上述した背景技術に鑑みて成されたものであり、その目的は、連続波を利用する超音波診断装置において比較的簡易な構成により不要信号成分を低減させる技術を提供することにある。
【課題を解決するための手段】
【０００８】
上記目的を達成するために、本発明の好適な態様である超音波診断装置は、連続波の送信信号を出力する送信信号処理部と、送信信号に対応した超音波を生体に送波して生体からの反射波を受波することにより受信信号を得る送受波部と、送信信号に対して位相調整処理と振幅調整処理を施して得られる補正信号を受信信号に加えることにより、受信信号に含まれる不要信号成分を低減させた補正受信信号を得る補正処理部と、実質的に送信信号に等しい波形の参照信号を用いて補正受信信号に対して復調処理を施すことにより復調信号を得る受信信号処理部と、復調信号から生体内情報を抽出する生体内情報抽出部と、を有することを特徴とする。
【０００９】
望ましい態様において、前記送受波部は、送信信号に対応した超音波を生体に送波する送信用振動子と、生体からの反射波を受波することにより受信信号を得る受信用振動子と、を備え、前記補正処理部は、送信用振動子から受信用振動子への超音波の音響的な漏洩成分が低減されるように送信信号の振幅を調整し且つ送信信号の位相を反転させて前記補正信号を生成する、ことを特徴とする。
【００１０】
望ましい態様において、前記補正処理部は、送信信号から受信信号への電気的な漏洩成分が低減されるように送信信号の振幅を調整し且つ送信信号の位相を反転させて前記補正信号を生成する、ことを特徴とする。
【００１１】
望ましい態様において、前記補正処理部は、生体の体表からの反射波成分が低減されるように送信信号の振幅を調整し且つ送信信号の位相を反転させて前記補正信号を生成することを特徴とする。
【発明の効果】
【００１２】
本発明により、連続波を利用する超音波診断装置において比較的簡易な構成により不要信号成分を低減させることが可能になる。
【発明を実施するための最良の形態】
【００１３】
以下、本発明の好適な実施形態を説明する。
【００１４】
図１には、本発明に係る超音波診断装置の好適な実施形態が示されており、図１はその全体構成を示す機能ブロック図である。送信用振動子１０は生体内へ送信波を連続的に送波し、また、受信用振動子１２は生体内からの反射波を連続的に受波する。このように、送信および受信がそれぞれ異なる振動子で行われて、いわゆる連続波ドプラ法による送受信が実行される。
【００１５】
ＲＦ波発振器２０は、例えば、一定周波数の正弦波であるＲＦ波を出力する。本実施形態においては、このＲＦ波が連続波の送信信号となる。
【００１６】
なお、ＲＦ波に対して、周期的な信号に基づいて変調処理を施して連続波の送信信号を形成してもよい。例えば、図示しない変調信号発生器から供給される周期的な信号に基づいて、ＲＦ波発振器２０から供給されるＲＦ波に対して変調処理を施すことにより、連続波の送信信号が形成されてもよい。変調処理としては、周波数変調（ＦＭ）や位相変調（ＰＭ）などのアナログ変調処理と、周波数シフトキーイング（ＦＳＫ）や位相シフトキーイング（ＰＳＫ）などのデジタル変調処理が好適である。
【００１７】
電力増幅器１４は、連続波の送信信号を電力増幅して送信用振動子１０に供給する。こうして、連続波の送信信号に対応する送信波が送信用振動子１０から送波され、生体内からの反射波が連続的に受信用振動子１２によって受波される。
【００１８】
補正信号生成部２２は、ＲＦ波発振器２０から出力される連続波の送信信号に対して位相調整処理と振幅調整処理を施して補正信号Ｖｃを生成する。連続波を利用した超音波診断装置においては、送信系から受信系への信号等の漏洩が無視できない。例えば音響的あるいは電気的な影響により送信系から受信系へ信号等が漏洩すると、受信信号に比較的大きな不要信号成分が含まれてしまい、微弱なドプラ信号を抽出するうえで好ましくない。
【００１９】
補正信号生成部２２は、送信系から受信系への信号等の漏洩に伴う不要信号成分を低減させるための補正信号Ｖｃを生成する。そして、受信用振動子１２において得られた受信信号に対して、加算部２４により補正信号Ｖｃが加えられ、受信信号に含まれる不要信号成分が低減される。そのため、補正信号生成部２２は、受信信号に含まれる不要信号成分をキャンセルできるように、位相調整と振幅調整を行って補正信号Ｖｃを生成する。
【００２０】
補正信号生成部２２は、送信用振動子１０から受信用振動子１２への超音波の音響的な漏洩成分と、送受信回路内における送信信号から受信信号への電気的な漏洩成分と、生体の体表からの反射波成分と、が低減されるように送信信号の振幅を調整する。例えば、上記の音響的な漏洩成分と電気的な漏洩成分と体表からの反射波成分の３つの成分の合計からなる不要信号成分と比較して振幅の大きさが等しくなるように送信信号の振幅の大きさを調整する。もちろん、これら３つの成分のうちの１つの成分または２つの成分の合計を不要信号成分として、その不要信号成分と比較して振幅の大きさが等しくなるように送信信号の振幅の大きさを調整してもよい。
【００２１】
送信用振動子１０から受信用振動子１２への超音波の音響的な漏洩成分と、送受信回路内における送信信号から受信信号への電気的な漏洩成分については、本超音波診断装置の装置構成に応じて決定される量であるため、例えば、設計上の理論的な予想や実験結果などに基づいてこれらの漏洩成分と同じ大きさの送信信号の振幅を決定してもよい。生体の体表からの反射波成分については、例えば標準的なファントムなどを利用した実験結果などに基づいて、その反射波成分と同じ大きさの送信信号の振幅を決定してもよい。
【００２２】
さらに、補正信号生成部２２は、上述のように振幅が調整された送信信号の位相を反転させて補正信号Ｖｃを生成する。つまり、送信信号の位相を１８０°だけずらして補正信号Ｖｃを生成する。そして、受信用振動子１２において得られた受信信号に対して、加算部２４により補正信号Ｖｃが加えられることにより、受信信号に含まれる不要信号成分と補正信号Ｖｃとが相殺され、不要信号成分が低減される。望ましくは完全に不要信号成分が除去される。
【００２３】
なお、ＲＦ波発振器２０から供給されるＲＦ波に対して変調処理を施して連続波の送信信号が形成されている場合、補正信号生成部２２は、変調処理された連続波の送信信号に対して位相調整処理と振幅調整処理を施して補正信号Ｖｃを生成する。
【００２４】
前置増幅器１６は、加算部２４において不要信号成分が低減された受信信号に対して低雑音増幅等の受信処理を施し、受信ＲＦ信号を形成して受信ミキサ３０へ出力する。受信ミキサ３０は受信ＲＦ信号に対して直交検波を施して複素ベースバンド信号を生成する回路であり、２つのミキサ３２，３４で構成される。各ミキサは受信ＲＦ信号を所定の参照信号と混合する回路である。
【００２５】
受信ミキサ３０の各ミキサに供給される参照信号は、送信信号に基づいて生成される。つまり、ＲＦ波発振器２０から供給されるＲＦ波がミキサ３２に供給され、ＲＦ波発振器２０から供給されるＲＦ波がπ／２シフト回路２６を介してミキサ３４に供給される。π／２シフト回路２６は、ＲＦ波の位相をπ／２だけ遅延させる回路である。
【００２６】
こうして、ミキサ３２から同相信号成分（Ｉ信号成分）が出力され、ミキサ３４から直交信号成分（Ｑ信号成分）が出力される。そして、受信ミキサ３０の後段に設けられるＬＰＦ（ローパスフィルタ）３６，３８によって、同相信号成分および直交信号成分の各々の高周波数成分がカットされて検波後の必要な帯域のみの復調信号が抽出される。
【００２７】
なお、ＲＦ波発振器２０から供給されるＲＦ波に対して変調処理を施して連続波の送信信号が形成されている場合、受信ミキサ３０の各ミキサに供給される参照信号は、変調処理された送信信号に基づいて生成される。この場合には、変調処理された連続波の送信信号に対して、生体内の目標位置の深さに応じた遅延量だけ遅延処理を施して参照信号が形成される。これにより、受信ミキサ３０の各ミキサで実行される受信ＲＦ信号と参照信号との混合処理の結果として、目標位置からの受信信号成分を多く含んだ信号を得ることが可能になる。
【００２８】
ＦＦＴ回路（高速フーリエ変換回路）４０，４２は、復調信号（同相信号成分および直交信号成分）の各々に対してＦＦＴ演算を実行する。その結果、ＦＦＴ回路４０，４２において復調信号が周波数スペクトラムに変換される。なお、ＦＦＴ回路４０，４２から出力される周波数スペクトラムは、回路の設定条件などにより周波数分解能δｆの周波数スペクトラムデータとして出力される。
【００２９】
ドプラ情報解析部４４は、周波数スペクトラムに変換された復調信号からドプラ情報を抽出する。ドプラ情報解析部４４は、例えば、生体内における血流などの移動体の速度を算出する。なお、ＲＦ波に対して変調処理を施して連続波の送信信号が形成されている場合には、目標位置からのドプラ情報が選択的に抽出される。この場合、ドプラ情報解析部４４は、生体内の各深さ（各位置）ごとにドプラ情報を抽出して、例えば、超音波ビーム（音線）上の各深さごとに生体内組織の速度を算出する。なお、超音波ビームを走査させて二次元的あるいは三次元的に生体内組織の各位置の速度を算出してもよい。
【００３０】
表示処理部４６は、ドプラ情報解析部４４において得られたドプラ情報に基づいて、例えばドプラ波形や、速度の情報を含むグラフなどを形成し、形成したドプラ波形やグラフなどを表示部４８にリアルタイムで表示させる。なお、図１に示す超音波診断装置内の各部は、システム制御部５０によって制御される。
【００３１】
本実施形態により、受信信号に含まれる不要信号成分が低減され、比較的小さい振幅の受信信号が適切に抽出される。そのため、比較的大きな不要信号成分が含まれた状態の受信信号を処理する場合に比べて、本実施形態においてはダイナミックレンジが小さい回路を利用することができ、例えば回路規模や設計コストなどの増大を極力抑えることが可能になる。
【００３２】
以上、本発明の好適な実施形態を説明したが、上述した実施形態は、あらゆる点で単なる例示にすぎず、本発明の範囲を限定するものではない。本発明は、その本質を逸脱しない範囲で各種の変形形態を包含する。
【図面の簡単な説明】
【００３３】
【図１】本発明に係る超音波診断装置の全体構成を示す機能ブロック図である。
【符号の説明】
【００３４】
２０  ＲＦ波発振器、２２  補正信号生成部、２４  加算部、４０，４２  ＦＦＴ回路、４４  ドプラ情報解析部。
【図１】
2010011992.tif 000003